(57)【要約】【課題】録画装置に録画された番組のタイトル名の一覧を表示する際に、録画容量の大きな装置になると大量のタイトル名がリスト表示されて見づらいという課題があった。また毎日録画や毎週録画された番組をまとめて視聴する場合に、個別にタイトル名を選択する必要があった。【解決手段】タイトル抽出部１２により録画部１１に記録された番組のタイトル情報が抽出され、タイトルリスト生成部１３により同じタイトル名をまとめたタイトルリストが生成され、再生処理部１５により同じタイトル名を有する番組が連続的に再生される。【選択図】　図１
2004133984.tif 000002
【特許請求の範囲】
【請求項１】
番組を録画する録画部と、
前記録画部で録画された番組のタイトル情報を抽出するタイトル抽出部と、
前記タイトル抽出部で抽出したタイトル情報の中から重複したタイトル名を集めて一つのタイトルとしてタイトルリストを生成するタイトルリスト生成部と、
前記タイトルリストの中からタイトル情報を選択する選択部とを備え、
前記タイトルリスト生成部は、前記選択部によりタイトル情報が選択されると、前記タイトル抽出部で抽出されたタイトル情報の中から前記選択されたタイトル情報と同一のタイトル名を有するタイトル情報を検索し、一致するタイトル情報があるときにはそのタイトル情報を列挙したタイトルリストを生成することを特徴とする記録再生装置。
【請求項２】
番組を録画する録画部と、
前記録画部で録画された番組のタイトル情報を抽出するタイトル抽出部と、
前記タイトル抽出部で抽出したタイトル情報の中から重複したタイトル名を集めて一つのタイトルとしてタイトルリストを生成するタイトルリスト生成部と、
前記タイトルリストの中からタイトル情報を選択する選択部と、
前記タイトルリスト生成部からの指示に基づいて番組を再生する再生処理部とを備え、
前記タイトルリスト生成部は、前記選択部によりタイトル情報が選択されると、前記タイトル抽出部で抽出されたタイトル情報の中から前記選択されたタイトル情報と同一のタイトル名を有するタイトル情報を抽出し、抽出したタイトルの番組を全て再生する指示を前記再生処理部に対して与えることを特徴とする記録再生装置。
【請求項３】
録画された番組のタイトル情報を読み出す第１のステップと、前記第１のステップで読み出したタイトル情報の中から重複したタイトル名を集めて一つのタイトルとしてタイトルリストを生成する第２のステップと、
前記タイトルリストから任意のタイトル情報を選択する第３のステップと、
前記第３のステップで選択されたタイトル情報と同一のタイトル名を有するタイトル情報を検索し、一致するタイトル情報があるときにはそのタイトル情報をタイトルリストとして生成する第４のステップとを有することを特徴とする録画記録方法。
【請求項４】
録画された番組のタイトル情報を読み出す第１のステップと、前記第１のステップで読み出したタイトル情報の中から重複したタイトル名を集めて一つのタイトルとしてタイトルリストを生成する第２のステップと、
前記タイトルリストから任意のタイトル情報を選択する第３のステップと、
前記第３のステップで選択されたタイトル情報と同一のタイトル名を有するタイトル情報を抽出し、抽出した全てのタイトルの番組を再生する第４のステップとを有することを特徴とする録画記録方法。
【請求項５】
コンピュータに、請求項３もしくは請求項４記載のいずれかに記載のステップを実行させるためのプログラムを記録したコンピュータ読み取り可能な記録媒体。
【請求項６】
請求項３もしくは請求項４のいずれかに記載のステップをコンピュータに実行させるための記録再生プログラム。
【発明の詳細な説明】
【０００１】
【発明の属する技術分野】
本発明は、ディジタル記録装置に関するものであり、特にＤＶＤレコーダやＤ−ＶＨＳに関するものである。
【０００２】
【従来の技術】
従来の記録再生装置において、テープやディスク等に記録された番組のタイトルを一覧表示する機能を有するものがある（例えば特許文献１参照）。この記録再生装置の主要部分の構成を図８に示す。図８において、８１は番組を録画する録画部、８２は録画部８１で録画された番組のタイトル情報を抽出するタイトル抽出部、８３はユーザがタイトルを選択する選択部、８４は選択部８３からの指示に基づいて録画部８１から番組を再生する再生処理部、８５はタイトル抽出部８２で抽出されたタイトルリストと再生処理部８４で再生された番組の出力を制御する出力制御部、８６は表示部、８７は外部出力用の出力部である。
【０００３】
上記のように構成された従来の記録再生装置における動作について説明する。録画部８１には複数の番組が録画されており、録画された番組のタイトル情報がタイトル抽出部８２により抽出される。抽出されたタイトル情報は出力制御部８５によりタイトルリストとして表示部８６に表示される。
【０００４】
表示部８６に表示されたタイトルリストの一例を図９に示す。９１は表示部であるディスプレイを示している。ディスプレイ内にはタイトル情報としてタイトル名と録画日とが表示されている。ディスプレイ９１の下方に破線で示したタイトル名は、ディスプレイ９１に並びきれなかったタイトル名を示しており、画面スクロールを行うことでこれらのタイトル名を見ることができる。ユーザは表示されたディスプレイリストを見ながら再生したいタイトル情報を選択部８３により選択する。再生処理部８４は、選択部８３により選択されたタイトル情報に対応した番組を録画部８１から再生して出力制御部８５へ送る。出力制御部８５は、再生された番組を表示部８６に表示するか出力部８７から出力する。出力部８７に他の録画機器が接続されていれば、番組の編集を行うことができる。
【０００５】
【特許文献１】
特開２０００−９２４２６号公報
【０００６】
【発明が解決しようとする課題】
しかしながら従来の記録再生装置では、番組のタイトル一覧が時刻順に並んで表示されるため、毎日録画や毎週録画を行っている場合は同一種類の番組タイトルが点在することとなる。このため同一種類の番組を連続して視聴したい場合や同一種類の番組を番組ごとにまとめて編集する場合には、点在するタイトルを個別に選択しなければならず、ユーザの負担が大きくなるという課題があった。また多数の番組を録画したときには番組タイトル一覧が一画面に収まらず、番組タイトルを選択するために画面スクロールを行わなければならないという課題があった。
【０００７】
上記課題を解決するために、毎日録画や毎週録画された同一タイトルの番組をグループ化して表示することで一画面により多くの種類のタイトル名を表示し、グループ化されたタイトルを選択するだけで一連の番組を連続して再生したり一度に編集したりする機能を提供することを目的とする。
【０００８】
【課題を解決するための手段】
上記目的を達成するために、本発明の記録再生装置は、番組を録画する録画部と、録画部で録画された番組のタイトル情報を抽出するタイトル抽出部と、タイトル抽出部で抽出したタイトル情報の中から、タイトル名が異なるタイトル情報のみを列挙してタイトルリストを生成するタイトルリスト生成部とを備えている。
【０００９】
さらに本発明の記録再生装置は、タイトルリストの中からタイトル情報を選択する選択部と、タイトルリスト生成部からの指示に基づいて録画部から番組を再生する再生処理部とをさらに備え、タイトルリスト生成部は、選択部によりタイトル情報が選択されると、タイトル抽出部で抽出されたタイトル情報の中から選択されたタイトル情報と同一のタイトル名を有するタイトル情報を検索し、一致するタイトル情報があるときにはそのタイトル情報を列挙したタイトルリストを生成し、一致するタイトル情報がないときには選択されたタイトル情報に対応した番組の再生を再生処理部に指示する。
【００１０】
【発明の実施の形態】
本発明の記録録画装置は、番組を録画する録画部と、録画部で録画された番組のタイトル情報を抽出するタイトル抽出部と、タイトル抽出部で抽出したタイトル情報の中から、タイトル名が異なるタイトル情報のみを列挙してタイトルリストを生成するタイトルリスト生成部とを備えており、録画された番組のタイトルリストを表示する際に、同一タイトル名のタイトルがまとめられて表示される。
【００１１】
また、タイトルリストの中からタイトル情報を選択する選択部と、タイトルリスト生成部からの指示に基づいて録画部から番組を再生する再生処理部とをさらに備えており、選択部によりタイトル情報が選択されると、まとめられたタイトルが展開されて表示されるので、タイトルリストを階層的に表示できるという作用を有する。また同一のタイトル名を有する番組を一括して選択できるので、一回の操作で同一番組を連続的に視聴することができるという作用を有する。
【００１２】
以下、本発明の実施の形態について図面を参照しながら説明する。
（実施の形態１）
図１は本発明の実施の形態１における記録再生装置の構成を示すブロック図であり、１１は番組を録画する録画部、１２は録画された番組のタイトル情報を抽出するタイトル抽出部、１３はタイトル抽出部１２で抽出したタイトル情報の中から重複したタイトル名を集めて１つのタイトルとし、タイトルリストを生成するタイトルリスト生成部、１４はユーザがタイトルの選択を行う選択部、１５は録画部１１に録画された番組または録画部１１で録画された番組から選択部で選択された番組を再生する再生処理部、１６はタイトルリストもしくは再生された番組の出力先を制御する出力制御部、１７は表示部、１８は出力部である。
【００１３】
タイトルリスト生成部１３の詳細を図２に示す。図２において図１と同じ符号を有するものは同じ動作を行うので詳細な説明は省略する。２１はタイトル抽出部１１で抽出されたタイトル情報を格納するタイトル情報記憶部、２２は選択部から送られたタイトル情報を一時的に格納するタイトルバッファ、２３はタイトルバッファに格納されたタイトル情報と全タイトル記憶部２１に格納されたタイトル情報とを比較する比較制御部、２４はタイトルリストを生成するリスト生成部である。
【００１４】
図３は本発明の実施の形態１における記録再生装置の動作を表すフローチャートである。上記のように構成された記録再生装置の動作について、図１〜３を参照しつつ説明する。
【００１５】
まずタイトル抽出部１２において、録画部１１に記録された番組のタイトル情報が抽出される（Ｓ１）。抽出されたタイトル情報はタイトルリスト生成部１３のタイトル情報記憶部２１に格納される。比較制御部２３では、タイトル情報記憶部２１に格納されたタイトル情報の中から同一タイトル名を有するタイトル情報が検索され、リスト生成部２４において重複したタイトル名を集めて一つのタイトルとしたタイトルリストが生成される（Ｓ２）。この様子を図４〜６を用いて説明する。
【００１６】
図４はタイトル情報記憶部２１に格納されたタイトル情報の一覧を示している。合計１２の番組が録画されていることがわかる。図５はタイトルリストが生成される過程を模式的に示した図である。図５（ａ）は比較制御部２３によりタイトル情報記憶部２１からタイトル情報が一つ読み込まれた状態を示している。この時点でタイトルリストには何もリストアップされていないので、リスト生成部２４により「子供向け番組Ａ」がその録画日の情報とともにタイトルリストとして生成される。
【００１７】
図５（ｂ）は比較制御部２３により「子供向け番組Ｂ」および「ニュースＡ」が読み込まれた状態を示している。それぞれのタイトルはタイトルリストに存在しないので、タイトルリストとしてリストアップされる。同様に読み込みを繰り返し、図５（ｃ）は比較制御部２３によりさらに「子供向け番組Ａ」が読み込まれた状態を示している。ここで「子供向け番組Ａ」は既にタイトルリストに存在しているのでタイトルリストには新規にリストアップされない。ただし「子供向け番組Ａ」は複数の番組を有することを示すために、録画日の表示欄に「Ｇ」（タイトルが複数存在しているのでグループ化されていることを示す）の属性を付すこととする。図中右に模式的に示したように、タイトルリスト「子供向け番組Ａ」には録画日が５／１と５／２の２つの番組が存在していることとなる。
【００１８】
図５（ｄ）はさらに「子供向け番組Ｂ」が読み込まれた状態を示している。タイトルリストに「子供向け番組Ｂ」が既に存在しているので、タイトルリスト中の「子供向け番組Ｂ」の録画日表示欄に「Ｇ」の属性が付される。
【００１９】
上記の動作を繰り返し、タイトル情報記憶部２１に格納された番組から生成されたタイトルリストを図６に示す。このように同一のタイトル名が除外されたタイトルリストがリスト生成部２４で生成されて表示部１７で表示される（Ｓ３）。
【００２０】
次にユーザによりタイトル情報が選択部１４により選択される（Ｓ４）。選択されたタイトル情報はタイトルバッファ２２に格納され、比較制御部２３によりそのタイトル情報と同一のタイトル名がタイトル情報記憶部２１に格納されているか否かが検索される（Ｓ５）。ここで、例えば図６に示したタイトルリストから「ドラマＡ」が選択されたとすると、「ドラマＡ」の録画日に「Ｇ」の属性が付与されていないことから、「ドラマＡ」はタイトル情報記憶部に一つしか存在していないことがわかる。この場合にはタイトル情報記憶部２１からの検索処理は実行されず、再生処理部１５に対して番組の再生指示が送られる。
【００２１】
図６に示したタイトルリストから、例えば「子供向け番組Ａ」が選択されたとすると、図６のタイトルリストにより「子供向け番組Ａ」には複数の番組が存在する「Ｇ」の属性が付されているので、タイトル情報記憶部２１から検索処理が実行される。そして同一タイトル名を有するタイトルリストが図７のように作成されて（Ｓ６）表示部１７に表示される。そしていずれかのタイトル情報が選択されると再生処理部１５に対して番組の再生指示が送られる。
【００２２】
再生処理部１５では、タイトルリスト生成部１３からの指示に基づいて、対応する番組が録画部１１から読み出されて再生される（Ｓ７）。出力制御部１６は再生された番組を表示部１７に出力するか出力部１８に出力するかの制御を行う。番組を視聴する際には表示部１７に出力し、番組の編集等を行う際には出力部１８にも出力を行う。
【００２３】
ここで図６に示したタイトルリストから「Ｇ」の属性が付与されたタイトル情報を選択したときに、同一のタイトル名を有するタイトルリストを作成して表示すると説明したが、例えば同一タイトル名を有する複数の番組を連続視聴したい場合や、連続して編集したい場合には、新たにタイトルリストを作成することなく再生動作を行ってもよい。この場合同一タイトル名を有する番組を検索し、それらのタイトル情報を再生処理部１５に対して連続して再生する指示を送ることで実現できる。
【００２４】
なお図６のタイトルリストの説明において、同一タイトル名が複数あるタイトル情報には「Ｇ」の属性を付して表示されるとしたが、別の属性を付してもよく、また表示色を変えたり、表示フォントを変えたりして区別してもよい。
【００２５】
また、タイトルリスト生成部１３において同一タイトル名を一つにまとめて表示した際に、図６に示すように録画日順に並べて表示する例を示したが、例えば「Ｇ」の属性が付与されているか否かで分類して表示してもよい。また「Ｇ」の属性が付与されているタイトルについては、そのタイトル名と同一タイトルの番組を含んでいる録画時間に基づいて並べてもよい。例えば図６において「子供向け番組Ａ」の合計録画時間が３時間、「子供向け番組Ｂ」の合計録画時間が５時間、「ニュースＡ」の合計録画時間が２時間、他の番組の録画時間がそれぞれ１時間ずつであったとすると、タイトル一覧は、「子供向け番組Ｂ」、「子供向け番組Ａ」、「ニュースＡ」、（以下同じ）の順で表示される。合計録画時間が多い番組は、記録メディアの容量を多く使用しているので、早く視聴して消去するか、他のメディアに別途格納することが望ましい。従って合計録画時間順にタイトル一覧が表示されることで、どのタイトルを早く視聴すべきか、または他のメディアに別途格納すべきかの判断を、一目瞭然に知ることができる。
【００２６】
なお、本発明は上記ステップを実行するプログラムとして実現することもできる。またそのプログラムが記録された記録媒体をコンピュータに読み取らせて実現してもよい。
【００２７】
【発明の効果】
以上、説明したように本発明の記録装置によれば、同タイトルの番組がグループ化されて一覧表示されるので、多くの種類の番組タイトルを一画面に表示することができるとう効果を奏する。また毎日録画や毎週録画を行った番組を視聴するときには、タイトルリストから一つのタイトル情報を選択するだけで、記録媒体上に点在する番組が検索されて再生が開始されるので、一回の操作で連続した番組を視聴したり編集したりすることができるという効果を奏する。
【図面の簡単な説明】
【図１】本発明の実施の形態における記録再生装置のブロック図
【図２】タイトルリスト生成部のブロック図
【図３】本発明の実施の形態における記録再生装置の動作を説明するためのフローチャート
【図４】録画部に録画されたタイトル内容の説明図
【図５】記憶部とリスト生成部の動作説明図
【図６】タイトルリストの模式図
【図７】同一タイトル名のタイトルリストの模式図
【図８】従来の記録再生装置のブロック図
【図９】従来の記録再生装置の画面表示の説明図
【符号の説明】
１１　録画部
１２　タイトル抽出部
１３　タイトルリスト生成部
１４　選択部
１５　再生処理部
１６　出力制御部
１７　表示部
１８　出力部
【図１】
2004133984.tif 000003
【図２】
2004133984.tif 000004
【図３】
2004133984.tif 000005
【図４】
2004133984.tif 000006
【図５】
2004133984.tif 000007
【図６】
2004133984.tif 000008
【図７】
2004133984.tif 000009
【図８】
2004133984.tif 000010
【図９】
2004133984.tif 000011